(57)【特許請求の範囲】
【請求項１】
側面にネジ穴が形成されたパネルの該ネジ穴に連通する位置に第１の貫通孔が形成され、該第１の貫通孔と該ネジ穴を使ってネジ止めされることによって該パネルに固定される板金部材であって、
さらに第２の貫通孔が形成され該第２の貫通孔が前記第１の貫通孔に重なる重畳位置に折曲加工される折曲片を有し、前記パネルの種類に応じて、該折曲片が折曲加工される前の開いた状態と、該折曲片が該重畳位置に折曲加工された折曲状態とのいずれかの状態でパネルにネジ止めされるものであることを特徴とする板金部材。
【請求項２】
前記板金部材は、前記折曲状態において前記折曲片によって隠蔽される位置に第１のマークが印されたものであることを特徴とする請求項１記載の板金部材。
【請求項３】
前記板金部材は、前記折曲状態における前記折曲片の、該折曲状態において表面に露出する位置に、第２のマークが印されたものであることを特徴とする請求項１または２記載の板金部材。
【請求項４】
前記パネルは、情報を表示する表示画面を有する表示パネルであり、
前記板金部材は、前記パネルの側面にネジ止めされ、前記表示画面の背面側に広がる部材であることを特徴とする請求項１から３のうちのいずれか１項記載の板金部材。
【請求項５】
前記第１の貫通孔は、ネジが貫通する径を有する２つの丸孔の一部同士が互いに重なり、中央にネジの通路を阻止する狭幅に括れた括れ部を有する長孔であって、
前記第２の貫通孔は、前記折曲状態において、前記第１の貫通孔を形成する２つの丸孔のうちの一方である第１の丸孔と連通し、前記折曲片は、他方の第２の丸孔を覆うものであることを特徴とする請求項１から４のうちのいずれか１項記載の板金部材。
【請求項６】
前記第２の貫通孔は、前記第１の貫通孔の長軸と交わる方向に長軸を有する長孔であることを特徴とする請求項５記載の板金部材。
【請求項７】
側面にネジ穴が形成された、情報を表示する表示画面を有する表示パネルと、
前記表示パネルのネジ穴に連通する位置に第１の貫通孔が形成され、該第１の貫通孔と該ネジ穴を使ってネジ止めされることによって該表示パネルに固定される板金部材と、
前記板金部材に固定された表示パネルが収容される本体筐体とを備え、
前記板金部材が、さらに第２の貫通孔が形成され該第２の貫通孔が前記第１の貫通孔に重なる重畳位置に折曲加工される折曲片を有し、前記表示パネルの種類に応じて、該折曲片が折曲加工される前の開いた状態と、該折曲片が該重畳位置に折曲加工された折曲状態とのいずれかの状態でパネルにネジ止めされるものであることを特徴とする情報表示装置。
【請求項８】
前記板金部材の前記折曲片が折曲加工される前の開いた状態と、該折曲片が該重畳位置に折曲加工された折曲状態とのいずれの状態でも前記パネルのネジ止めに共通に使用されるネジを備えることを特徴とする請求項７記載の情報表示装置。
【請求項９】
側面にネジ穴が形成されたパネルと、該パネルの該ネジ穴に連通する位置に第１の貫通孔が形成された板金部材とを、該第１の貫通孔と該ネジ穴を使ってネジ止めしてパネルユニットを製造するパネルユニット製造方法において、
前記板金部材が、さらに第２の貫通孔が形成され該第２の貫通孔が前記第１の貫通孔に重なる重畳位置に折曲加工される折曲片を有するものであり、
前記パネルの種類に応じて、
前記板金部材を、前記折曲片が折曲加工される前の開いた状態で前記パネルにネジ止めする第１のネジ止め工程と、
前記折曲片を前記重畳位置に折曲加工する折曲加工工程、および折曲加工工程を経ることにより得られた折曲状態の前記板金部材を前記パネルにネジ止めする第２のネジ止め工程の双方とのいずれか一方を実行することを特徴とするパネルユニット製造方法。
【請求項１０】
前記折曲加工工程は、前記折曲片を折曲加工するとともに、該折曲片の、前記折曲状態において表面に露出する位置に第２のマークを刻印する工程であることを特徴とする請求項９記載のパネルユニット製造方法。
【発明の詳細な説明】
【技術分野】
【０００１】
本発明は、側面にネジ穴が形成されたパネルにネジ止めされる板金部材、板金部材に固定された表示パネルを備えた情報表示装置、およびパネルに板金部材をネジ止めしてパネルユニットを製造するパネルユニット製造方法に関する。
【背景技術】
【０００２】
パーソナルコンピュータの分野においては、装置の小型・軽量化と、表示画面の大型化との両立が要求されている。このような要求を実現するため、薄型で軽量な液晶パネルを使った表示装置を適用したり、光源や制御基板等を液晶パネルの脇ではなく裏側に配置し、筐体と液晶パネルとの間の隙間が狭まった分だけ表示画面を広げることなどが行われている。この液晶パネルや、液晶パネルを制御する制御基板などは、衝撃などによって破損しやすいため、通常は、金属製の板金部材に液晶パネルと制御基板とが一緒に保持され、その板金部材が本体筐体に固定されることによって強度が高められている。
【０００３】
ところで、パーソナルコンピュータを製造しているメーカーでは、自社内で液晶パネルを製造しているのではなく、専門のメーカーから製造済みの液晶パネルを購入して電子機器内に取り付けていることが一般的である。また、複数のメーカーから液晶パネルを取り寄せていることも多く、同じ機種のパーソナルコンピュータであっても、異なるメーカーの液晶パネルが搭載されていることがある。
【０００４】
しかし、近年では、次々の大型の液晶パネルが開発されてきており、液晶パネルを製造している複数のメーカー間で、液晶パネルのサイズや、液晶パネルに取り付けられる板金部材用のネジ穴の深さなどが規格化されていないのが現状である。このため、外形サイズが同じ液晶パネルであっても、複数のメーカーそれぞれで製造された複数種類の液晶パネル間でネジ穴の深さなどが微妙にずれていることがあり、パーソナルコンピュータを製造しているメーカー側では、複数種類の液晶パネルそれぞれのネジ穴に合った板金部材やネジを個別に用意する必要があり、コストが上昇してしまううえ、部品の管理が煩雑になってしまうという問題がある。
【０００５】
この点に関し、板金部材に、複数種類の液晶パネルそれぞれに設けられた複数のネジ穴と重なる長孔を形成しておき、冶具などを使って正確な位置にネジ止めすることが行われている。また、特許文献１には、複数の素子それぞれのサイズに合わせてスリット付きの連動板を移動させることにより、部品を共通化することができるサーマルリレーについて記載されている。
【特許文献１】特開平５−２７４９８６号公報
【発明の開示】
【発明が解決しようとする課題】
【０００６】
しかし、冶具を使ってネジ止めを行う方法は、手間と時間がかかってしまい、コストの上昇にも繋がってしまう。また、特許文献１に記載された技術を流用しようとすると、別部材のスリットを設けた特殊な板金部材が必要となるため、コストが上昇してしまったり、液晶パネルのネジ穴に合わせてスリットの位置を微調整しなければならないため、部品の組み立てに手間がかかってしまうという問題がある。
【０００７】
上記事情に鑑み、コストの上昇を抑え、ネジ穴の深さが相互に異なる複数種類の表示パネル間で部品を共通化することができる板金部材、情報表示装置、およびパネルユニット製造方法を提供する。
【課題を解決するための手段】
【０００８】
上記目的を達成する板金部材の基本形態は、
側面にネジ穴が形成されたパネルのネジ穴に連通する位置に第１の貫通孔が形成され、第１の貫通孔とネジ穴を使ってネジ止めされることによってパネルに固定される板金部材であって、
さらに第２の貫通孔が形成され第２の貫通孔が第１の貫通孔に重なる重畳位置に折曲加工される折曲片を有し、パネルの種類に応じて、折曲片が折曲加工される前の開いた状態と、折曲片が重畳位置に折曲加工された折曲状態とのいずれかの状態でパネルにネジ止めされるものである。
【０００９】
この板金部材の基本形態では、板金部材に、パネルのネジ穴に連通する第１の貫通孔に加えて、折曲加工されることによって第１の貫通孔に重なる第２の貫通孔が設けられている。パネルに設けられたネジ穴が深い場合には、板金部材を、折曲片を開いたままで第１の貫通孔のみを用いてネジ止めし、パネルに設けられたネジ穴が浅い場合には、折曲片を折曲加工して、第１の貫通孔の第２の貫通孔とが重なった状態でネジ止めすることによって、複数のパネル間で板金部材やネジなどを共通化することができる。また、板金部材の基本形態によると、板金部材とは別部材の板材などを用意する必要がないため、コストの上昇を抑えることができるとともに、パネルの種類の応じて折曲片を折り曲げるだけで、容易にネジ穴の深さをネジの長さに合わせることができる。
【００１０】
また、上記基本形態に対し、
上記板金部材は、折曲状態において折曲片によって隠蔽される位置に第１のマークが印されたものであるという応用形態は好ましい。
【００１１】
この応用形態によると、折曲片が折曲加工されると第１のマークが隠蔽されるため、折曲片の加工状態を容易に把握することができる。
【００１２】
また、上記基本形態に対し、
上記板金部材は、折曲状態における折曲片の、折曲状態において表面に露出する位置に、第２のマークが印されたものであるという応用形態は好ましい。
【００１３】
この応用形態によると、折曲片が折曲加工されると第２のマークが露出するため、折曲片の加工状態を容易に把握することができる。
【００１４】
また、上記基本形態に対し、
上記パネルは、情報を表示する表示画面を有する表示パネルであり、
上記板金部材は、パネルの側面にネジ止めされ、表示画面の背面側に広がる部材であるという応用形態は好適である。
【００１５】
表示パネルは、複数のメーカーから取り寄せられて電子機器内などに搭載されることが多い。この応用形態によると、複数種類の表示パネル間でネジ穴の深さが異なっていても板金部材を共通化することができ、コストの上昇を抑えることができる。
【００１６】
また、上記基本形態に対し、
上記第１の貫通孔は、ネジが貫通する径を有する２つの丸孔の一部同士が互いに重なり、中央にネジの通路を阻止する狭幅に括れた括れ部を有する長孔であって、
上記第２の貫通孔は、折曲状態において、第１の貫通孔を形成する２つの丸孔のうちの一方である第１の丸孔と連通し、上記折曲片は、他方の第２の丸孔を覆うものであるという応用形態は好適である。
【００１７】
この好適な応用形態によると、１つの板金部材によって、２種類のパネルそれぞれに設けられたネジ穴の深さだけではなく、ネジ穴の位置のずれにも対応することができる。
【００１８】
また、第１の貫通孔が２つの丸孔の一部同士が互いに重なった丸孔である応用形態に対し、上記第２の貫通孔は、第１の貫通孔の長軸と交わる方向に長軸を有する長孔であるという応用形態はさらに好ましい。
【００１９】
第２の貫通孔が、第１の貫通孔の長軸と交わる方向に長軸を有する長孔であることによって、折曲片の折り曲げ精度のずれを吸収することができる。
【００２０】
また、上記目的を達成する情報表示装置の基本形態は、
側面にネジ穴が形成された、情報を表示する表示画面を有する表示パネルと、
表示パネルのネジ穴に連通する位置に第１の貫通孔が形成され、第１の貫通孔とネジ穴を使ってネジ止めされることによって表示パネルに固定される板金部材と、
板金部材に固定された表示パネルが収容される本体筐体とを備え、
板金部材が、さらに第２の貫通孔が形成され第２の貫通孔が第１の貫通孔に重なる重畳位置に折曲加工される折曲片を有し、表示パネルの種類に応じて、折曲片が折曲加工される前の開いた状態と、折曲片が重畳位置に折曲加工された折曲状態とのいずれかの状態でパネルにネジ止めされるものである。
【００２１】
この情報表示装置の基本形態によると、コストの上昇を抑えて、複数種類の表示パネル間で板金部材を共通化することができる。
【００２２】
また、上記基本形態に対し、
上記板金部材の前記折曲片が折曲加工される前の開いた状態と、該折曲片が該重畳位置に折曲加工された折曲状態とのいずれの状態でも前記パネルのネジ止めに共通に使用されるネジを備えるという応用形態は好適である。
【００２３】
この好適な応用形態によると、ネジ穴の深さの異なる複数種類の表示パネルに対しても１種類のネジを共通に使用できるため、コストの上昇を更に抑えることができる。
【００２４】
また、上記目的を達成するパネルユニット製造方法の基本形態は、
側面にネジ穴が形成されたパネルと、パネルのネジ穴に連通する位置に第１の貫通孔が形成された板金部材とを、第１の貫通孔とネジ穴を使ってネジ止めしてパネルユニットを製造するパネルユニット製造方法において、
板金部材が、さらに第２の貫通孔が形成され第２の貫通孔が第１の貫通孔に重なる重畳位置に折曲加工される折曲片を有するものであり、
パネルの種類に応じて、
板金部材を、折曲片が折曲加工される前の開いた状態で前記パネルにネジ止めする第１のネジ止め工程と、
折曲片を重畳位置に折曲加工する折曲加工工程、および折曲加工工程を経ることにより得られた折曲状態の板金部材をパネルにネジ止めする第２のネジ止め工程の双方とのいずれか一方を実行する。
【００２５】
このパネルユニット製造方法の基本形態によると、パネルの種類の応じて折曲片を折り曲げるだけで、容易にネジ穴の深さをネジの長さに合わせることができる。
【００２６】
また、上述した板金部材の基本形態に対して、
上記折曲加工工程は、折曲片を折曲加工するとともに、折曲片の、折曲状態において表面に露出する位置に第２のマークを刻印する工程であるという形態は好適である。
【００２７】
この好適なパネルユニット製造方法によると、新たに工程を増やすことなく、折曲片を折曲加工したことを示す第２のマークを刻印することができる。
【発明の効果】
【００２８】
以上説明したように、板金部材、情報表示装置、およびパネルユニット製造方法の基本形態によると、部品組立体および電子機器の基本形態によれば、コストの上昇を抑え、ネジ穴の深さなどが相互に異なる複数種類の表示パネル間で部品を共通化することができる。
【発明を実施するための最良の形態】
【００２９】
以下、図面を参照して、上記説明した板金部材、情報表示装置、およびパネルユニット製造方法に対する具体的な実施形態を説明する。
【００３０】
図１は、情報表示装置の具体的な第１実施形態であるパーソナルコンピュータ１００の外観図である。
【００３１】
このパーソナルコンピュータ１００は、情報を表示する表示装置と、ハードディスク装置やＣＰＵなどが同じ筐体内に一緒に搭載された本体一体型のパーソナルコンピュータである。尚、実際には、パーソナルコンピュータ１００にはキーボードやマウスなども接続されるが、図１では図示を省略している。
【００３２】
図１には、パーソナルコンピュータ１００を前方から見た図が示されている。パーソナルコンピュータ１００は、上前方ケース１１Ａ、上後方ケース１１Ｂ、下前方ケース１２Ａ、および下後方ケース１２Ｂによって構成された空間内に、表面に表示画面２１が広がった液晶パネル、ＣＰＵ、ハードディスク装置、冷却ファン、電源装置、各種基板、およびそれらを相互に接続するケーブルなどが収容されている。上前方ケース１１Ａ、上後方ケース１１Ｂ、下前方ケース１２Ａ、および下後方ケース１２Ｂを合わせたものは、上述した情報表示装置の基本形態における本体筐体の一例に相当する。
【００３３】
また、パーソナルコンピュータ１００の前面には、パーソナルコンピュータ１００を起動するための起動スイッチ３４ａや、表示画面２１上に情報を表示するための表示スイッチ３４ｂなどが設けられており、パーソナルコンピュータ１００の一側面には、ＣＤやＤＶＤ等の光ディスクを装填するための光ディスク装填口３１と、フレキシブルディスク（以下では、ＦＤと称する）を装填するためのＦＤ装填口３２が設けられている。
【００３４】
図２は、パーソナルコンピュータ１００の側面図であり、図３は、パーソナルコンピュータ１００の背面図である。
【００３５】
パーソナルコンピュータ１００は、上前方ケース１１Ａに上後方ケース１１Ｂが取り付けられ、下前方ケース１２Ａに下後方ケース１２Ｂが取り付けられている。上前方ケース１１Ａには、表示画面２１を前面にして液晶パネルが嵌め込まれており、表示画面２１の背面側に、ハードディスク装置や各種基板などが収容されている。表示画面２１は、上述した情報表示装置の基本形態における表示画面の一例に相当する。また、パーソナルコンピュータ１００の背面には、電源を投入するための主電源スイッチ４０や、ＬＡＮカードなどといった機能拡張用の拡張カードを装填するための拡張カード装填口３３が設けられている。
【００３６】
図４は、パーソナルコンピュータ１００の底面図である。
【００３７】
パーソナルコンピュータ１００内部の上方には、交換可能なハードディスク装置などが収容されており、下方には、通常は交換されない基板などが筐体フレームに保護されて収容されている。例えば、下前方ケース１２Ａは交換可能なプラスチックのカバーであり、金属製の筐体フレーム（図１０参照）にプリント基板が取り付けられ、筐体フレームが下前方ケース１２Ａにネジ５０で固定されている。通常の修理では、上前方ケース１１Ａから上後方ケース１１Ｂのみが取り外されて、パーソナルコンピュータ１００内部の上方に収容されたハードディスク装置の交換などが行われる。
【００３８】
図５は、パーソナルコンピュータ１００の内部構成図である。
【００３９】
パーソナルコンピュータ１００には、図５に示すように、各種プログラムを実行するＣＰＵ１０１、ハードディスク装置１０３に格納されたプログラムが読み出されＣＰＵ１０１での実行のために展開される主メモリ１０２、各種プログラムやデータ等が保存されたハードディスク装置１０３、音声信号を生成して音声を出力するスピーカデバイス１０４、外部装置からデータを入力する入力インタフェース１０５、キーボードやトラックパッドなどを含む操作子１０６、表示画面２１上に情報を表示に関する表示装置１０７、ＦＤ６１が装填され、その装填されたＦＤ６１をアクセスするＦＤドライブ１０８、ＣＤ−ＲＯＭ６２やＤＶＤが装填され、その装填されたＣＤ−ＲＯＭ６２やＤＶＤをアクセスするＣＤ／ＤＶＤドライブ１０９、外部装置へデータを出力する出力インタフェース１１０、および拡張カード６３を使って通信を行う通信インタフェース１１１などが内蔵されており、これらの各種要素は、バス１１２を介して相互に接続されている。
【００４０】
ここで、パーソナルコンピュータ１００には、複数のメーカーから取り寄せられた複数種類の液晶パネルのうちのいずれかの液晶パネルが搭載されている。液晶パネルには、強度を高めるために金属製の板金部材が固定されており、複数種類の液晶パネルそれぞれのネジ穴の深さのずれが板金部材によって吸収されている。以下では、液晶パネルと板金部材とのネジ止め方法について詳しく説明する。
【００４１】
図６は、上後方ケース１１Ｂを取り外したパーソナルコンピュータ１００の背面図である。
【００４２】
図６に示すように、液晶パネル２１０は、金属製の板金部材３１０に保持されており、板金部材３１０が、液晶パネル２１０の表示画面２１を前面にして上前方ケース１１Ａに固定されている。液晶パネル２１０は、上述した基本形態におけるパネルの一例にあたるとともに、上述した応用形態における表示パネルの一例にも相当する。また、板金部材３１０は、上述した基本形態における板金部材の一例に相当する。この液晶パネル２１０と板金部材３１０とでパネルユニットが形成される。
【００４３】
液晶パネル２１０の裏面側には、図５にも示す通信インタフェース１１１や、ハードディスク装置１０３などが搭載されたメイン基板２２０や、電力を制御するための電源装置２３０などが重ねて配置されている。パーソナルコンピュータ１００は、筐体フレームの一部である仕切りフレーム２４０によって上下に仕切られており、その仕切りフレーム２４０の下には、スピーカデバイス１０４（図５参照）や各種スイッチ３３ａ，３４ｂ（図１参照）などが搭載されたプリント基板が収容されている。また、メイン基板２２０とプリント基板は、フラットケーブル２５０によって接続されており、フラットケーブル２５０の一端側の端子がメイン基板２２０のコネクタ２２１に装着され、フレーム２４０に設けられた貫通孔２４１を通って他端側の端子がプリント基板に装着されている。
【００４４】
図７は、上後方ケース１１Ｂから取り外された状態の板金部材３１０および液晶パネル２１０の背面図である。
【００４５】
図７に示すように、液晶パネル２１０の裏面側には、液晶パネル２１０を制御する制御基板２１１が折り曲げて重ねられており、板金部材３１０は、液晶パネル２１０と制御基板２１１の両端に固定されている。板金部材３１０には、液晶パネル２１０から延びたケーブル２１２が通る配線用穴３１１が設けられており、配線用穴３１１によって板金部材３１０の背面側に通されたケーブル２１２や、制御基板２１１から延びたフラットケーブル２１３は、図６の仕切りフレーム２４０の下に隠蔽されたプリント基板などに接続される。
【００４６】
図８は、上後方ケース１１Ｂに装着された状態の板金部材３１０および液晶パネル２１０の背面図であり、図９は、上後方ケース１１Ｂに装着された状態の板金部材３１０および液晶パネル２１０の前面図である。
【００４７】
図８に示すように、板金部材３１０は、液晶パネル２１０および制御基板２１１の両縁を保持して固定されており、さらに、板金部材３１０が上後方ケース１１Ｂに嵌め込まれている。また、図９に示すように、表示画面２１が設けられた表面側から見ると、板金部材３１０は上後方ケース１１Ｂによって隠蔽されている。
【００４８】
上述したように、液晶パネル２１０は、複数のメーカーから取り寄せられており、それら複数種類の液晶パネル２１０間で共通の板金部材３１０やネジが用いられている。
【００４９】
図１０は、相互に異なるメーカーで製造された液晶パネルの側面図である。
【００５０】
図１０に示す液晶パネル２１０Ａ，２１０Ｂそれぞれの側面には、図８に示す板金部材３１０がネジ止めされるネジ穴４１０Ａ，４１０Ｂと、補助用の長穴４２０Ａ，４２０Ｂが設けられているが、それらネジ穴４１０Ａ，４１０Ｂの深さや位置が相互に異なっている。ネジ穴４１０Ａ，４１０Ｂは、上述した基本形態におけるネジ穴の一例に相当する。
【００５１】
図１１は、板金部材３１０の側面図である。
【００５２】
板金部材３１０の側面には、図１０に示す液晶パネル２１０Ａ，２１０Ｂのネジ穴４１０Ａ，４１０Ｂそれぞれに対応する２つの丸孔の一部が重なった縦長孔３２２と、縦長孔３２２に向けて折り曲げ可能な折曲片３２０と、折曲片３２０を折り曲げたときに縦長孔３２２のうちの下側の丸孔に重なる横長孔３２１と、補助用の貫通孔３３１が設けられている。尚、縦長孔３２２の脇には、折曲片３２０が開いていることを示すマーク３２３が記されている。縦長孔３２２は、上述した基本形態における第１の貫通孔にあたるとともに、上述した応用形態における「括れ部を有する長孔」の一例に相当し、折曲片３２０は、上述した基本形態における折曲片の一例に相当する。また、横長孔３２１は、上述した基本形態における第２の貫通孔にあたるとともに、上述した応用形態における「第１の貫通孔の長軸と交わる方向に長軸を有する長孔」の一例に相当する。
【００５３】
図１２は、板金部材３１０の、縦長孔３２２付近の拡大図である。
【００５４】
図１２（Ａ）には、折曲片３２０が折り曲げられる前の状態における、板金部材３１０の表面が示されている。この状態では、折曲片３２０が開いていることを示すマーク３２３が表面に露出している。マーク３２３は、上述した応用形態における第１のマークの一例にあたる。
【００５５】
図１２（Ｂ）には、折曲片３２０が折り曲げられる前の状態における、板金部材３１０の裏面が示されている。折曲片３２０が折り曲げられる前の状態では、折曲片３２０の裏面側にはマークが記されていない。
【００５６】
図１２（Ｃ）には、折曲片３２０が折り曲げられた状態における、板金部材３１０の表面が示されている。折曲片３２０が折曲加工されるときには、折曲片３２０の、折り曲げたときに表面に露出する位置に、折曲加工されたことを示すマーク３２４が刻印される。マーク３２４は、上述した応用形態における第２のマークの一例に相当する。折曲片３２０が折り曲げられると、折曲片３２０によって図１２（Ａ）に示すマーク３２３が隠れるため、マーク３２３，３２４を確認することによって容易に折曲片３２０の状態を確認することができる。また、横長孔３２１は、折曲片３２０が折り曲げられたときに縦長孔３２２のうち下側の丸孔に重なる位置に設けられている。折曲片３２０に縦長孔３２２の長軸方向と垂直な方向に長軸を有する横長孔３２１が設けられることによって、折曲片３２０の折り曲げ精度による誤差を吸収することができる。
【００５７】
ここで、本実施形態においては、パーソナルコンピュータ１００には、図１０に示す２つの表示パネル２１０Ａ，２１０Ｂに加えて、もう１つの表示パネル２１０Ｃを合わせた計３つの表示パネル２１０Ａ，２１０Ｂ，２１０Ｃのうちのいずれか１つが搭載される。これら計３つの表示パネル２１０Ａ，２１０Ｂ，２１０Ｃのうちの、図１０の上側に示す１つ目の表示パネル２１０Ａは、ネジ穴４１０Ａの深さが深く、ネジ穴４１０Ａの位置が上側に寄っており、図１０の下側に示す２つ目の表示パネル２１０Ｂは、ネジ穴４１０Ｂの深さが浅く、ネジ穴４１０Ｂの位置が下側に寄っており、３つ目の表示パネル２１０Ｃについては、ネジ穴の深さや位置が図１０に示す２つの表示パネル２１０Ａ，２１０Ｂの中間であるものとして説明する。
【００５８】
図１２に示す縦長孔３２２のうちの上側の丸孔は、ネジ穴が深い１つ目の表示パネル２１０Ａのネジ穴４１０Ａと重なる位置に設けられている。また、図１２に示す縦長孔３２２のうちの下側の丸孔と、下側の丸孔に重なる折曲片３２０の横長孔３２１は、ネジ穴が浅い２つ目の表示パネル２１０Ｂのネジ穴４１０Ｂと重なる位置に設けられており、図１１に示す補助用の貫通孔３３１は、中間的なネジ穴を有する３つ目の表示パネル２１０Ｃに設けられた補助孔４２０Ｃ（図示しない）と重なる位置に設けられている。
【００５９】
図１３は、ネジ穴が深い第１の表示パネル２１０Ａに装着された板金部材３１０の側面図である。
【００６０】
第１の表示パネル２１０Ａに板金部材３１０が装着されると、縦長孔３２２のうちの上側の丸孔が表示パネル２１０Ａのネジ穴４１０Ａと重なる。第１の表示パネル２１０Ａが搭載される場合には、折曲片３２０が折り曲げられず、折曲片３２０が開いていることを示すマーク３２３を表面に露出させた状態で、ネジ穴４１０Ａと縦長孔３２２のうちの上側の丸孔とを使ってネジ止めされる。折曲片３２０が開いたままで板金部材３１０を表示パネル２１０Ａにネジ止めする工程は、上述したパネルユニット製造方法の基本形態における第１のネジ止め工程の一例に相当する。
【００６１】
図１４は、ネジ穴が浅い第２の表示パネル２１０Ｂに装着された板金部材３１０の側面図であり、図１５は、図１４に示す板金部材３１０がネジ止めされた状態を示す図である。
【００６２】
第２の表示パネル２１０Ｂに板金部材３１０が装着されると、縦長孔３２２のうちの下側の丸孔が表示パネル２１０Ｂのネジ穴４１０Ｂと重なる。第２の表示パネル２１０Ｂが搭載される場合には、折曲片３２０が折り曲げられるとともに、折曲加工されたことを示すマーク３２４が刻印される。折曲片３２０を折り曲げる工程は、上述したパネルユニット製造方法の基本形態における折曲加工工程の一例に相当する。
【００６３】
折曲片３２０が折り曲げられ、第２の表示パネル２１０Ｂのネジ穴４１０Ｂと、縦長孔３２２と、折曲片３２０の横長孔３２１とが重ねあわされると、図１５に示すように、それらネジ穴４１０Ｂ、縦長孔３２２、および横長孔３２１を使ってネジ５００が固定される。折曲片３２０を折り曲げた状態で板金部材３１０をネジ止めする工程は、上述したパネルユニット製造方法の基本形態における第２のネジ止め工程の一例に相当する。
【００６４】
第２の表示パネル２１０Ｂは、第１の表示パネル２１０Ａと比べてネジ穴４１０Ｂが浅いが、ネジ穴４１０Ｂ、縦長孔３２２、および横長孔３２１が重ねられてネジ穴の深さが調整されるため、第１の表示パネル２１０Ａと共通のネジ５００を使用することができる。また、縦長孔３２２を構成する２つの丸孔のうちの一方がネジ穴が深い表示パネル２１０Ａのネジ穴４１０Ａに合った位置に設けられ、２つの丸孔のうちの他方と、折曲片３２０の横長孔３２１がネジ穴が浅い表示パネル２１０Ｂのネジ穴４１０Ｂに合った位置に設けられることによって、それら２つの液晶パネル２１０Ａ，２１０Ｂのネジ穴４１０Ａ，４１０Ｂの位置ずれに係わらず、液晶パネル２１０Ａ，２１０Ｂの双方に確実に板金部材３１０を固定することができる。
【００６５】
また、第３の表示パネル２１０Ｃについては、図１１に示す板金部材３１０の補助用の貫通孔３３１と、３つ目の表示パネル２１０Ｃに設けられた補助孔４２０Ｃとを使って、板金部材３１０がネジ止めされるとともに、折曲片３２０が折り曲げられてマーク３２４が刻印される。
【００６６】
図１６は、板金部材３１０がネジ止めされた３つの表示パネル２１０Ａ，２１０Ｂ，２１０Ｃを示す図である。
【００６７】
図１６（Ａ）には、板金部材３１０がネジ止めされた第３の表示パネル２１０Ｃが示されている。第３の表示パネル２１０Ｃは、図１１に示す補助用の貫通孔３３１を使ってネジ５００が固定されており、折曲片３２０が折り曲げられることによって、折曲加工されたことを示すマーク３２４が露出している。マーク３２４と、そのマーク３２４が刻印された折曲片３２０にネジ５００が固定されていないことから、板金部材３１０に第３の表示パネル２１０Ｃが装着されていることを確認することができる。
【００６８】
図１６（Ｂ）には、板金部材３１０がネジ止めされた第１の表示パネル２１０Ａが示されている。第１の表示パネル２１０Ａは、折曲片３２０が折り曲げられずにネジ５００が固定されており、折曲片３２０が開いていることを示すマーク３２３から、板金部材３１０に第１の表示パネル２１０Ａが装着されていることを確認することができる。
【００６９】
図１６（Ｃ）には、板金部材３１０がネジ止めされた第２の表示パネル２１０Ｂが示されている。第２の表示パネル２１０Ｂは、折曲片３２０が折り曲げられてネジ５００が固定されている。マーク３２４と、そのマーク３２４が刻印された折曲片３２０にネジ５００が固定されていることから、板金部材３１０に第２の表示パネル２１０Ｂが装着されていることを確認することができる。
【００７０】
以上のように、本実施形態によると、ネジ穴の位置や深さが異なる複数の表示パネル間でネジや板金部材を共通化することができ、製造コストの上昇を抑えることができる。また、マークを確認することによって、板金部材に装着された表示パネルの種類を容易に認識することができ、誤ったネジ穴を使って板金部材を固定してしまう不具合も軽減することができる。
【００７１】
ここで、上記では、「課題を解決するための手段」で説明した情報表示装置の一例としてパーソナルコンピュータが示されているが、この情報表示装置は、表示パネルに板金部材が固定されるものであれば、コンピュータ用モニター、ノートブック型コンピュータ、ＰＤＡ、ゲーム機、テレビや携帯電話機などであってもよい。
【００７２】
また、上記では、表示パネルとして液晶パネルを例にしたが、液晶パネルに限らず、プラズマディスプレイや電界放出ディスプレイ、有機ＥＬディスプレイなどその表示パネルの種類を問うものではない。
【００７３】
また、上記では、折曲片を折り曲げるときにマークを刻印する例について説明したが、折曲片の裏面側の、折り曲げたときに表面に露出する位置に予めマークを記しておいてもよい。
【００７４】
また、上記では、異なるメーカーの表示パネルを例に説明したが、同じメーカーの異なる製品モデルの表示パネルも対象に上記板金部材を利用できることは言うまでもない。
【図面の簡単な説明】
【００７５】
【図１】電子機器の具体的な第１実施形態であるパーソナルコンピュータの外観図である。
【図２】パーソナルコンピュータの側面図である。
【図３】パーソナルコンピュータの背面図である。
【図４】パーソナルコンピュータの底面図である。
【図５】パーソナルコンピュータの内部構成図である。
【図６】上後方ケースを取り外したパーソナルコンピュータの背面図である。
【図７】上後方ケースから取り外された状態の板金部材および液晶パネルの背面図である。
【図８】上後方ケースに装着された状態の板金部材および液晶パネルの背面図である。
【図９】上後方ケースに装着された状態の板金部材および液晶パネルの前面図である。
【図１０】相互に異なるメーカーで製造された液晶パネルの側面図である。
【図１１】板金部材の側面図である。
【図１２】板金部材の、縦長孔付近の拡大図である。
【図１３】ネジ穴が深い第１の表示パネルに装着された板金部材の側面図である。
【図１４】ネジ穴が浅い第２の表示パネルに装着された板金部材の側面図である。
【図１５】図１４に示す板金部材がネジ止めされた状態を示す図である。
【図１６】板金部材がネジ止めされた３つの表示パネルを示す図である。
【符号の説明】
【００７６】
１００    パーソナルコンピュータ
１１Ａ    上前方ケース
１１Ｂ    上後方ケース
１２Ａ    下前方ケース
１２Ｂ    下後方ケース
２１    表示画面
３１    光ディスク装填口
３２    ＦＤ装填口
３３    拡張カード装填口
１０１    ＣＰＵ
１０２    主メモリ
１０３    ハードディスク装置
１０４    スピーカデバイス
１０５    入力インタフェース
１０６    操作子
１０７    表示装置
１０８    ＦＤドライブ
１０９    ＣＤ／ＤＶＤドライブ
１１０    出力インタフェース
１１１    通信インタフェース
１１２    バス
２１０    液晶パネル
２１１    制御基板
２２０    メイン基板
２２１    コネクタ
２３０    電源装置
２４０    フレーム
２４１    貫通孔
【図１】
0004427573.tif 000002
【図２】
0004427573.tif 000003
【図３】
0004427573.tif 000004
【図４】
0004427573.tif 000005
【図５】
0004427573.tif 000006
【図６】
0004427573.tif 000007
【図７】
0004427573.tif 000008
【図８】
0004427573.tif 000009
【図９】
0004427573.tif 000010
【図１０】
0004427573.tif 000011
【図１１】
0004427573.tif 000012
【図１２】
0004427573.tif 000013
【図１３】
0004427573.tif 000014
【図１４】
0004427573.tif 000015
【図１５】
0004427573.tif 000016
【図１６】
0004427573.tif 000017